(57)【要約】【課題】オーディオデータ及び地図データに依らず、記憶領域を確保し、ハードディスクの容量を有効に活用することができるナビゲーション装置及びハードディスクの空き容量確保方法を提供する。【解決手段】データ構造読取り手段２１がＨＤＤ１０フォーマット種類及び格納されているデータ形式を判別する。領域確保手段２２が読み取られたデータ構造に基づいてユーザに削除するデータを指定させ、対象のデータを削除する。空き領域整理手段２３が確保された空き領域を連続領域とするためにデータ配列を整理する。フォーマット手段２４が空き領域をオーディオデータ用にフォーマットし、オーディオ用領域１３ａを作成する。また、ナビゲーション用領域１２を拡張する場合には、ナビゲーション用にフォーマットする。【選択図】          図５
2004272532.tif 000002
【特許請求の範囲】
【請求項１】
少なくともオーディオデータ用と地図データ用との異なるパーティションに分割されたハードディスクに接続されたナビゲーション装置において、
前記ハードディスクにおける前記地図データ又は前記オーディオデータを削除し、空き領域を確保する領域確保手段と、
該領域確保手段で確保した前記空き領域をフォーマットするフォーマット手段と
を有することを特徴とするナビゲーション装置。
【請求項２】
前記領域確保手段は、新たな地図データ又はオーディオデータの格納が要求された場合、前記地図データ又は前記オーディオデータを削除し、
前記フォーマット手段は、前記格納が要求された前記新たな地図データ又は前記オーディオデータに応じて前記空き領域をフォーマットすることを特徴とする請求項１記載のナビゲーション装置。
【請求項３】
削除する前記地図データ又は前記オーディオデータを指定させる削除データ指定手段を有し、
前記領域確保手段は、前記削除データ指定手段で指定された前記地図データ又は前記オーディオデータを削除することを特徴とする請求項２記載のナビゲーション装置。
【請求項４】
前記領域確保手段で確保された前記空き領域を連続領域に統合する空き領域整理手段を有することを特徴とする請求項１から３の何れか１項に記載のナビゲーション装置。
【請求項５】
前記削除データ指定手段は、一般図毎，詳細図毎又はＰＯＩ毎、或いは、アーティスト毎，アルバム毎又は曲毎に削除する前記地図データ又はオーディオデータを指定させることを特徴とする請求項３記載のナビゲーション装置。
【請求項６】
少なくともオーディオデータ用と地図データ用との異なるパーティションに分割されたハードディスクに接続されたナビゲーション装置における前記ハードディスクの空き容量確保方法において、
前記ハードディスクにおける前記地図データ又は前記オーディオデータを削除し、空き領域を確保する領域確保ステップと、
該領域確保ステップで確保した前記空き領域をフォーマットするフォーマットステップと
を有することを特徴とする空き容量確保方法。
【請求項７】
新たな地図データ又はオーディオデータの格納の要求を入力するデータ追加要求ステップを有し、
前記領域確保ステップは、前記要求が入力された場合、前記地図データ又は前記オーディオデータを削除し、
前記フォーマットステップは、前記格納が要求された前記新たな地図データ又は前記オーディオデータに応じて前記空き領域をフォーマットすることを特徴とする請求項６記載のナビゲーション空き容量確保方法。
【請求項８】
削除する前記地図データ又は前記オーディオデータを指定させる削除データ指定ステップを有し、
前記領域確保ステップは、前記削除データ指定ステップで指定された前記地図データ又は前記オーディオデータを削除することを特徴とする請求項７記載の空き容量確保方法。
【請求項９】
前記領域確保ステップで確保された前記空き領域を連続領域に統合する空き領域整理ステップを有することを特徴とする請求項６から８の何れか１項に記載の空き容量確保方法。
【請求項１０】
前記削除データ指定ステップは、一般図毎，詳細図毎又はＰＯＩ毎、或いは、アーティスト毎，アルバム毎又は曲毎に削除する前記地図データ又はオーディオデータを指定させることを特徴とする請求項８記載の空き容量確保方法。
【発明の詳細な説明】
【０００１】
【発明の属する技術分野】
本発明は、ハードディスクを用いたナビゲーション装置及びハードディスクの空き容量確保方法に関し、特に地図データとオーディオデータとが格納されるナビゲーション装置及びハードディスクの空き容量確保方法に関する。
【０００２】
【従来の技術】
近年、車載用ナビゲーション装置の多くでは、ＣＤ−ＲＯＭやＤＶＤ−ＲＯＭ等の読み取り専用の記録媒体からハードディスク等の書き換え可能な記録媒体が使用されるようになってきている。このように書き換え可能な記録媒体を使用することで、地図データがアップデートできるようになっただけでなく、音楽データや映像データ等のマルチメディアデータを蓄積できるようになり、車内環境の充実化が著しく進歩した。
【０００３】
しかしながら、ハードディスクの容量は有限である。このため、不要なデータを削除し、容量を有効に活用することが求められている。
【０００４】
このような要求に答えんとする技術として、以下に示すナビゲーションシステムが存在する（例えば特許文献１参照）。これを以下、図１を用いて説明する。
【０００５】
図１に示すように、本従来技術によるナビゲーションシステムは、ＣＰＵ（中央演算処理装置）１０１とＲＯＭ（Ｒｅａｄ  Ｏｎｌｙ  Ｍｅｍｏｒｙ）１０２とＲＡＭ（Ｒａｎｄｏｍ  Ａｃｃｅｓｓ  Ｍｅｍｏｒｙ）１０３とＨＤＤ（Ｈａｒｄ  Ｄｉｓｋ  Ｄｒｉｖｅ）１０４と表示装置１０５と入力装置１０６とＤＶＤ−ＲＯＭドライブ１０７とＧＰＳ（Ｇｌｏｂａｌ  Ｐｏｓｉｔｉｏｎｉｎｇ  Ｓｙｓｔｅｍ）１０８とを有して構成されている。
【０００６】
この構成において、検出された自車位置に応じた所定のブロックに対応する地図データをＤＶＤ−ＲＯＭからＨＤＤ１０４へ転送するに際し、ＨＤＤ１０４の空き容量が不足している場合、ＣＰＵ１０１は不要と判断できる地図データをＨＤＤ１０４から削除することで、ハードディスクの容量が確保され、これが有効に活用される。
【０００７】
【特許文献１】
特開２００１−１６５６６９号公報
【０００８】
【発明が解決しようとする課題】
しかしながら、上記した従来技術では、地図データを記憶する領域しか確保することができない。即ち、オーディオデータが格納される領域と地図データが格納される領域とは異なるフォーマットで記述されており、オーディオデータを格納する領域が不足した場合でも、これを拡張することが不可能である。同様に、地図データを格納する領域が不足した場合でも、これを拡張することが不可能である。
【０００９】
本発明は、このような問題に鑑みてなされたものであり、オーディオデータ及び地図データに依らず、記憶領域を確保し、ハードディスクの容量を有効に活用することができるナビゲーション装置及びハードディスクの空き容量確保方法を提供することを目的とする。
【００１０】
【課題を解決するための手段】
かかる目的を達成するために、本発明は、少なくともオーディオデータ用と地図データ用との異なるパーティションに分割されたハードディスクに接続されたナビゲーション装置において、前記ハードディスクにおける前記地図データ又は前記オーディオデータを削除し、空き領域を確保する領域確保手段と、該領域確保手段で確保した前記空き領域をフォーマットするフォーマット手段とを有するように構成される。このように、確保した空き領域をフォーマットし直すことで、オーディオデータ及び地図データに依らず、記憶領域を確保し、ハードディスクの容量を有効に活用することが可能なナビゲーション装置が実現される。
【００１１】
また、上記のナビゲーション装置は、例えば前記領域確保手段が、新たな地図データ又はオーディオデータの格納が要求された場合、前記地図データ又は前記オーディオデータを削除し、前記フォーマット手段が、前記格納が要求された前記新たな地図データ又は前記オーディオデータに応じて前記空き領域をフォーマットするように構成してもよい。これにより、必要なときにのみ、不要なデータを削除し、記憶領域を確保するように構成することができる。
【００１２】
また、上記のナビゲーション装置は、例えば削除する前記地図データ又は前記オーディオデータを指定させる削除データ指定手段を有し、前記領域確保手段が、前記削除データ指定手段で指定された前記地図データ又は前記オーディオデータを削除するように構成してもよい。これにより、ユーザにとって不必要なデータを削除して、記憶領域を確保するように構成することが可能となる。
【００１３】
また、上記のナビゲーション装置は、好ましくは前記領域確保手段で確保された前記空き領域を連続領域に統合する空き領域整理手段を有するように構成される。これにより、確保できた記憶領域を最大限に有効に活用することが可能となる。
【００１４】
また、上記の削除データ指定手段は、例えば一般図毎，詳細図毎又はＰＯＩ毎、或いは、アーティスト毎，アルバム毎又は曲毎に削除する前記地図データ又はオーディオデータを指定させるように構成される。これにより、ユーザが不要と判断するデータを的確に指定させることが可能となる。
【００１５】
また、本発明は、少なくともオーディオデータ用と地図データ用との異なるパーティションに分割されたハードディスクに接続されたナビゲーション装置における前記ハードディスクの空き容量確保方法において、前記ハードディスクにおける前記地図データ又は前記オーディオデータを削除し、空き領域を確保する領域確保ステップと、該領域確保ステップで確保した前記空き領域をフォーマットするフォーマットステップとを有するように構成される。このように、確保した空き領域をフォーマットし直すことで、オーディオデータ及び地図データに依らず、記憶領域を確保し、ハードディスクの容量を有効に活用することが可能なナビゲーション装置における前記ハードディスクの空き容量確保方法が実現される。
【００１６】
また、上記の空き領域確保方法は、例えば新たな地図データ又はオーディオデータの格納の要求を入力するデータ追加要求ステップを有し、前記領域確保ステップが、前記要求が入力された場合、前記地図データ又は前記オーディオデータを削除し、前記フォーマットステップが、前記格納が要求された前記新たな地図データ又は前記オーディオデータに応じて前記空き領域をフォーマットするように構成してもよい。これにより、必要なときにのみ、不要なデータを削除し、記憶領域を確保するように構成することができる。
【００１７】
また、上記の空き領域確保方法は、例えば削除する前記地図データ又は前記オーディオデータを指定させる削除データ指定ステップを有し、前記領域確保ステップが、前記削除データ指定ステップで指定された前記地図データ又は前記オーディオデータを削除するように構成してもよい。これにより、ユーザにとって不必要なデータを削除して、記憶領域を確保するように構成することが可能となる。
【００１８】
また、上記の空き領域確保方法は、好ましくは前記領域確保ステップで確保された前記空き領域を連続領域に統合する空き領域整理ステップを有するように構成される。これにより、確保できた記憶領域を最大限に有効に活用することが可能となる。
【００１９】
また、上記の空き領域確保方法は、例えば前記削除データ指定ステップが、一般図毎，詳細図毎又はＰＯＩ毎、或いは、アーティスト毎，アルバム毎又は曲毎に削除する前記地図データ又はオーディオデータを指定させるように構成してもよい。これにより、ユーザが不要と判断するデータを的確に指定させることが可能となる。
【００２０】
【発明の実施の形態】
以下、本発明の好適な一実施形態について図面を用いて詳細に説明する。図２は、本実施形態において車載されたシステム構成を示すブロック図である。図２に示すように、本実施形態では、ナビゲーション装置２０とオーディオ装置３０とその他のアプリケーション装置（その他４０）とが車載され、これらが同様に車載されたＨＤＤ１０に所定のネットワーク（車内ローカルエリアネットワーク）を介して接続されている。換言すれば、ナビゲーション装置２０とオーディオ装置３０とその他４０とがＨＤＤ１０を共有する構成を有している。
【００２１】
このような構成を実現するために、ＨＤＤ１０は図３に示すような記憶領域に概念的に分割されている。即ち、初期状態では、ナビゲーション装置２０用の記憶領域としてナビゲーション用領域１２とオーディオ装置３０用の記憶領域としてオーディオ用領域１３とその他４０用の記憶領域としてその他用領域１４とに分割されている。
【００２２】
このような構成において、オーディオ装置３０は一般的にナビゲーション用領域１２を読み取れないように構成されている。換言すれば、ナビゲーション用領域１２はオーディオ装置３０やその他４０から読み取ることができないフォーマットで記述されている。但し、ナビゲーション装置２０はすべての領域（ナビゲーション用領域１２，オーディオ用領域１３，その他用領域１４）を読み取れるように構成されている。そこで、本発明では、ナビゲーション装置２０を利用して、ＨＤＤ１０全体の記憶領域を整理し、各記憶領域をそれぞれ確保できるように構成する。
【００２３】
より詳細には、ナビゲーション用領域１２が図４（ａ）のように、ナビゲーション用システム領域１２ａとパーティション：Ａ（プレインストール用地図データ領域１２ｂ）とパーティション：Ｂ（ユーザデータ領域１２ｃ）とパーティション：Ｃ（アップデート用地図データ領域１２ｄ）とに分割されて構成されていた場合でも、本実施形態では、（ｂ）に示すように、例えばプレインストール用地図データ領域１２ｂから不要な地図データを削除し、空いた領域をオーディオ用領域１３ａにフォーマットする。
【００２４】
このような処理を実現するための本実施形態によるナビゲーション装置２０の構成を、図５のブロック図を用いて説明する。図５に示すように、ナビゲーション装置２０は、データ構造読取り手段２１と領域確保手段２２と空き領域整理手段２３とフォーマット手段２４とを有し、これらが車内ＬＡＮ（Ｌｏｃａｌ  Ａｒｅａ  Ｎｅｔｗｏｒｋ）５０を介して接続されて構成される。
【００２５】
データ構造読取り手段２１は、ＨＤＤ１０のデータ構造を読み取り、アドレス領域毎のフォーマット種類及び格納されているデータ形式を判別する。領域確保手段２２は、データ構造読取り手段２１で読み取られたデータ構造に基づいてユーザに削除するデータを指定させ、入力された削除データ指定に基づいてＨＤＤ１０から対象のデータ（図４では地図データ）を削除する。空き領域整理手段２３は、領域確保手段２２で確保された空き領域（オーディオ用領域１３ａ）が断片化している場合、若しくは先にナビゲーション用領域１２内に作成されたオーディオ用領域１３ａと新たに作成されたオーディオ用領域１３ａ（空き領域）とが不連続の場合、これらを連続領域とするためにデータ配列を整理する。フォーマット手段２４は、空き領域整理手段２３で整理された空き領域（整理が不要であれば領域確保手段２２で確保された空き領域）をオーディオデータ用にフォーマットする。これにより、ナビゲーション用領域１２における不要なデータ（主に地図データ）を削除して、オーディオ用領域１３ａを確保する、即ちオーディオ用領域を拡張することが可能となる。
【００２６】
このような機能構成は、図６に示すようなナビゲーション装置２０の構成で実現することが可能である。即ち、ＲＯＭ６２又はＨＤＤ６４等に格納されたプログラムをＣＰＵ６１が読み出し、ＲＡＭ６３に作業領域を確保しつつこれを実行することで、上記した機能を実現することが可能である。尚、削除データ指定はタッチパネル式のディスプレイ装置で構成された表示装置６６及び入力装置６７から入力される。また、通信インタフェース６８は、外部に設けられたアンテナ等を介し、例えば移動体通信ネットワーク等からアップデート用の地図データやオーディオデータ等を入力するための構成である。更に、これらの構成は、内部バス６０を介して相互に接続されている。
【００２７】
次に、本実施形態による動作を図面を用いて詳細に説明する。図７は、データを削除し、これにより作成された空き領域（オーディオ用領域１３ａ）にオーディオデータを格納する際の流れを示すフローチャートである。但し、図７では地図データを削除する場合を例に挙げる。
【００２８】
図７に示すように、本実施形態では、まず、オーディオデータの追加がユーザにより要求される（ステップＳ１０１）。これは、オーディオ装置３０へユーザが操作入力することで、オーディオデータの追加要求がナビゲーション装置２０へ入力されることで実現される。
【００２９】
このようにオーディオデータの追加要求が入力されると、ナビゲーション装置２０は、データ構造読取り手段２１によりＨＤＤ１０のデータ構造を読み取り、オーディオ用領域１３に十分な空き領域があるか否かを判定する（ステップＳ１０２）。この判定の結果、空き領域がある場合（ステップＳ１０２のＹｅｓ）、ナビゲーション装置２０はこのことをオーディオ装置３０へ入力し、オーディオ装置３０の機能に従って、ＨＤＤ１０へ対象のオーディオデータを格納する（ステップＳ１０８）。これに対し、オーディオ用領域１３に十分な空き領域が存在しない場合（ステップＳ１０２のＮｏ）、ナビゲーション装置２０は地図データを削除してもよいか否かをユーザに入力させ（ステップＳ１０３）、削除してもよい場合（ステップＳ１０３のＹｅｓ）、削除する地図データ（地図データ指定）をユーザに入力させる（ステップＳ１０４）。これらの入力手順は表示装置６６及び入力装置６７を介して行われる。尚、地図データを削除しない場合（ステップＳ１０３のＮｏ）、ナビゲーション装置２０はオーディオデータ追加要求をキャンセルし（これにより、オーディオ装置３０における機能も終了する：ステップＳ１０９）、処理を終了する。
【００３０】
ステップＳ１０４で削除する地図データが指定されると、ナビゲーション装置２０は、領域確保手段２２により指定された地図データを削除し（ステップＳ１０５）、これにより作成された空き領域を空き領域整理手段２３により連続領域に統合する（ステップＳ１０６）。その後、統合した空き領域をオーディオ用にフォーマットし直し、オーディオ用領域１３ａを作成する（ステップＳ１０７）。
【００３１】
このようにオーディオ用領域１３ａを作成すると、ナビゲーション装置２０はこのことをオーディオ装置３０へ入力し、オーディオ装置３０の機能に従って、ＨＤＤ１０へ対象のオーディオデータを格納する（ステップＳ１０８）。
【００３２】
以上のような流れにより、図８に示すように、ナビゲーション用領域１２における地図データが削除され、作成された空き領域にオーディオデータが格納される。
【００３３】
次に、上記した流れにおける削除データ指定をユーザに入力させるための画面について、図面を用いて詳細に説明する。
【００３４】
データを削除することが指定されると、表示装置６６（入力装置６７を兼ねる）には、例えば図９（ａ）に示すような画面が表示される。この画面において、『地図』が選択された場合、図９（ｂ）〜（ｄ）に示すように、削除する地図データを選択するための一連の画面が手順に沿って表示される。これは、『一般図』，『詳細図』，『ＰＯＩ（Ｐｏｉｎｔ  Ｏｆ  Ｉｎｔｅｒｅｓｔ）』等の詳細な情報毎に指定できるように構成しても、地方，県，市町村毎等の地域毎に指定できるように構成しても、地図データ構造のレイヤ毎に指定できるように構成してもよい。また、図９（ａ）において、『音楽』が選択された場合、図９（ｃ），（ｄ）に示すように、アーティスト毎やアルバム毎や曲毎に削除するデータを指定できるように構成するとよい。尚、オーディオデータを削除する場合の処理は、オーディオ装置３０が行うものとする。更に、図９（ａ）において、『その他』が選択された場合、図９（ｇ）に示すように、ナビゲーション機能（ナビゲーション装置２０に搭載された機能）における付加的な要素（これを実現するためのプログラム）を削除できるように構成するとよい。
【００３５】
以上のような手順により削除するデータが指定されると、表示装置６６には図９（ｈ）に示すような画面が表示される。この画面において『ＯＫ』ボタンが選択されると、領域確保手段２２によりＨＤＤ１０から対象のデータが削除される（但し、地図データ及びナビゲーション機能における付加的な要素プログラムを削除する場合のみ）。その後、表示装置６６には、図１０に示すような画面が表示され、空き領域整理手段２３による空き領域統合の実行／不実行が選択される。この画面において『ＯＫ』が選択されると、空き領域整理手段２３により作成された空き領域が連続領域に統合される。以降の流れは上述した通りであるため、ここでは説明を省略する。
【００３６】
このように、本実施形態によれば、オーディオ用領域１３が不足した場合でも、ナビゲーション用領域１２における不要なデータを削除し、得られた領域をオーディオ用領域として使用することが可能となる。但し、本発明では上記した説明に限定されず、ナビゲーション用領域１２が不足した場合、上述と同様な流れによりオーディオ用領域１３における不要なデータを削除し、得られた領域をナビゲーション用領域として使用するように構成することも可能である。即ち、ＨＤＤ１０におけるフォーマットの違い（パーティションの区切り）に依存せず、必要な領域を確保できるナビゲーション装置及びハードディスクの空き容量確保方法が実現できる。
【００３７】
以上、説明した実施形態は本発明の好適な一実施形態にすぎず、本発明はその趣旨を逸脱しない限り種々変形して実施可能である。
【００３８】
【発明の効果】
以上説明したように、本発明によれば、オーディオデータ及び地図データに依らず、記憶領域を確保し、ハードディスクの容量を有効に活用することができるナビゲーション装置及びハードディスクの空き容量確保方法が実現される。
【図面の簡単な説明】
【図１】従来技術によるナビゲーションシステムの構成を示すブロック図である。
【図２】本発明の一実施形態において車載されたシステム構成を示すブロック図である。
【図３】本発明の一実施形態におけるＨＤＤ１０のデータ構造を示す図である。
【図４】図３に示すデータ構造をより詳細に示す図である。
【図５】本発明の一実施形態によるナビゲーション装置２０の機能構成を示すブロック図である。
【図６】図５に示す機能構成を実現するためのナビゲーション装置２０の構成を示すブロック図である。
【図７】本発明の一実施形態によるナビゲーション装置２０の動作を示すフローチャートである。
【図８】図７に示す流れにより作成されるデータ構造を概念的に説明するための図である。
【図９】図７に示す流れにおける削除データ指定をユーザに入力させるための画面を示す図である。
【図１０】図７に示す流れにおける空き領域を統合する際の画面を示す図である。
【符号の説明】
１０  ＨＤＤ
１２  ナビゲーション用領域
１２ａ  ナビゲーション用システム領域
１２ｂ、１２ｂ’  プレインストール用地図データ領域
１２ｃ  ユーザデータ領域
１２ｄ  アップデート用地図データ領域
１３、１３ａ  オーディオ用領域
１４  その他用領域
２０  ナビゲーション装置
３０  オーディオ装置
４０  その他
５０  車内ＬＡＮ
６０  内部バス
６１  ＣＰＵ
６２  ＲＯＭ
６３  ＲＡＭ
６４  ＨＤＤ
６５  ＧＰＳ処理部
６６  表示装置
６７  入力装置
６８  通信インタフェース
【図１】
2004272532.tif 000003
【図２】
2004272532.tif 000004
【図３】
2004272532.tif 000005
【図４】
2004272532.tif 000006
【図５】
2004272532.tif 000007
【図６】
2004272532.tif 000008
【図７】
2004272532.tif 000009
【図８】
2004272532.tif 000010
【図９】
2004272532.tif 000011
【図１０】
2004272532.tif 000012